(57)【特許請求の範囲】
【請求項１】
ユーザーの発する音声である会話情報の認識を行い、前記認識された会話情報から抽出されたキーワードを入力キーワードとして出力する会話認識手段と、
前記会話認識手段により出力された入力キーワードに含まれる第１のキーワードを検索キーワードとしてネットワークに接続された所定のサーバに送信し、前記検索キーワードに応じて前記サーバで検索された情報コンテンツを複数受信する制御を行う第１制御手段と、
前記第１制御手段により受信された複数の情報コンテンツを記憶する記憶手段と、
前記記憶手段に記憶された複数の情報コンテンツから前記入力キーワードに含まれる第２のキーワードに応じて限定された情報コンテンツを抽出して出力する制御を行う第２制御手段と、
を備えることを特徴とする情報処理装置。
【請求項２】
前記第２制御手段は、前記検索キーワードの少なくとも一部を変えた新たな検索キーワードが入力され、該新たな検索キーワードに対応する情報コンテンツが前記記憶手段に記憶されているとき、前記新たな検索キーワードに対応する情報コンテンツを前記記憶手段から出力する制御を行う、
ことを特徴とする請求項１記載の情報処理装置。
【請求項３】
前記第１制御手段は、入力された前記入力キーワードに応じて設定される会話の対象条件に基づいて前記検索キーワードを特定し、
前記第２制御手段は、前記会話の対象条件に対応する情報コンテンツを前記記憶手段に記憶された複数の情報コンテンツから抽出して出力する制御を行う、
ことを特徴とする請求項１又は２記載の情報処理装置。
【請求項４】
前記第２制御手段は、前記第１制御手段による制御に係る検索の際の時間に応じて限定された情報コンテンツを前記記憶手段に記憶された複数の情報コンテンツから抽出して出力する制御を行う、
ことを特徴とする請求項１から３の何れか１項に記載の情報処理装置。
【請求項５】
前記第２制御手段は、前記第１制御手段による制御に係る検索の際の位置情報に応じて限定された情報コンテンツを前記記憶手段に記憶された複数の情報コンテンツから抽出して出力する制御を行う、
ことを特徴とする請求項１から４の何れか１項に記載の情報処理装置。
【請求項６】
前記第１制御手段は、前記検索キーワードを構成する、少なくとも検索対象を示す対象ワードと前記検索対象を限定する２種以上の限定ワードのうち、少なくとも前記対象ワードと一の前記限定ワードで構成される拡張検索キーワードに応じて前記サーバで検索された情報コンテンツを複数受信する制御を行う、
ことを特徴とする請求項１から５の何れか１項に記載の情報処理装置。
【請求項７】
ユーザーの発する音声である会話情報の認識を行い、前記認識された会話情報から抽出されたキーワードを入力キーワードとして出力する会話認識工程と、
出力された前記入力キーワードに含まれる第１のキーワードを検索キーワードとしてネットワークに接続された所定のサーバに送信し、前記検索キーワードに応じて前記サーバで検索された情報コンテンツを複数受信する制御を行う第１の制御工程と、
前記受信された複数の情報コンテンツを記憶部に記憶する工程と、
前記記憶部に記憶された複数の情報コンテンツから前記入力キーワードに含まれる第２のキーワードに応じて限定された情報コンテンツを抽出して出力する制御を行う第２の制御工程と、
を備えることを特徴とする情報処理方法。
【請求項８】
ユーザーの発する音声である会話情報の認識を行い、前記認識された会話情報から抽出されたキーワードを入力キーワードとして出力する会話認識処理と、
出力された前記入力キーワードに含まれる第１のキーワードを検索キーワードとしてネットワークに接続された所定のサーバに送信し、前記検索キーワードに応じて前記サーバで検索された情報コンテンツを複数受信する制御を行う第１の制御処理と、
前記受信された複数の情報コンテンツを記憶部に記憶する処理と、
前記記憶部に記憶された複数の情報コンテンツから、前記入力キーワードに含まれる第２のキーワードに応じて限定された情報コンテンツを抽出して出力する制御を行う第２の制御処理と、
をコンピュータに実行させることを特徴とするプログラム。
【発明の詳細な説明】
【技術分野】
【０００１】
本発明は、情報処理装置、情報処理方法、及びプログラムに関する。
【背景技術】
【０００２】
従来から、特定の検索キーワードを用いて、インターネット等のネットワークを介して接続されたＷＥＢ検索サーバから目的の情報を得ることが一般的に行われている。
【０００３】
また、特許文献１には、音声認識による認識結果と予め登録されたキーワードとの照合により一致したキーワードを検索キーワードとして検索サーバに送信して情報検索を行う携帯端末が開示されている。
【先行技術文献】
【特許文献】
【０００４】
【特許文献１】特開２０１０−２７７２０７号公報
【発明の概要】
【発明が解決しようとする課題】
【０００５】
上述したように、特許文献１に開示された携帯端末においても、インターネット等のネットワークを介して接続された検索サーバに検索キーワードを送信して情報検索を行っている。しかし、ネットワークに基づいてキーワード検索を行うにあたっては、通信トラフィックの負荷や大容量データのダウンロードの際にスループットが低下する等の問題がある。また、通信回線の何者かによる不正傍受や通信回線の不具合などにより個人情報や機密情報が外部に漏れるおそれがある。
【０００６】
本発明は、このような実情に鑑みてなされたものであって、通信トラフィックの負荷やスループット低下を回避するとともに、情報漏洩のおそれを低減する情報処理装置を提供することを目的とする。
【課題を解決するための手段】
【０００７】
上記の課題を解決するため、本発明の情報処理装置は、ユーザーの発する音声である会話情報の認識を行い、認識された会話情報から抽出されたキーワードを入力キーワードとして出力する会話認識手段と、会話認識手段により出力された入力キーワードに含まれる第１のキーワードを検索キーワードとしてネットワークに接続された所定のサーバに送信し、検索キーワードに応じてサーバで検索された情報コンテンツを複数受信する制御を行う第１制御手段と、第１制御手段により受信された複数の情報コンテンツを記憶する記憶手段と、記憶手段に記憶された複数の情報コンテンツから入力キーワードに含まれる第２のキーワードに応じて限定された情報コンテンツを抽出して出力する制御を行う第２制御手段と、を備えることを特徴とする。
【発明の効果】
【０００８】
本発明によれば、通信トラフィックの負荷やスループット低下を回避するとともに、情報漏洩を低減することができる。
【図面の簡単な説明】
【０００９】
【図１】本発明の実施形態における情報処理装置の制御ブロック図である。
【図２】本発明の実施形態における情報処理装置の動作に係る模式図である。
【図３】本発明の実施形態における処理手順の１例を示す模式図である。
【図４】本発明の実施形態における会話認識の結果に対応する検索結果を記憶部から出力する例を示す模式図である。
【図５】本発明の実施形態における現在時刻に対応する検索結果を記憶部から出力する例を示す模式図である。
【図６】本発明の実施形態における現在位置に対応する検索結果を記憶部から出力する例を示す模式図である。
【図７】本発明の実施形態における検索キーワードを構成する対象ワードと限定ワードの具体例を示す模式図である。
【図８】本発明の実施形態における検索キーワードを拡張検索キーワードに変更して検索する動作例を示す模式図である。
【発明を実施するための形態】
【００１０】
本発明の実施形態の情報処理装置について図面を用いて以下説明する。なお、各図中、同一又は相当する部分には同一の符号を付しており、その重複説明は適宜に簡略化乃至省略する。本実施形態における情報処理装置は、パーソナルコンピュータ（以下「ＰＣ」という。）に限らず、スマートフォン、携帯電話、ＰＤＡ（Ｐａｒｓｏｎａｌ  Ｄｅｇｉｔａｌ  Ａｓｓｉｓｔａｎｔ）等の携帯情報端末に加え、インターネット等の所定の情報処理機能を有するテレビジョン（以下「ＴＶ」という。）などが含まれる。
【００１１】
本発明は概略的には、ユーザーの入力する入力キーワードに基づいて特定される検索キーワードをネットワークに接続された所定のサーバに送信し、検索キーワードに応じてサーバで検索された検索結果を複数受信する制御を行う第１制御手段と、第１制御手段により受信された複数の検索結果を記憶する記憶手段と、記憶手段に記憶された複数の検索結果から入力キーワードに応じて限定された検索結果を抽出して出力する制御を行う第２制御手段を備えるというものである。
【００１２】
これにより、ネットワーク接続に伴う通信トラフィックの負荷や、大容量データの送受信によるスループットの低下を回避し、さらに、必要な情報を極力ＰＣ内部に記憶されたデータで賄うことにより、ネットワークに接続されている状態を最大限少なくすることで情報漏洩を低減することができる。
【００１３】
本実施形態における情報処理装置のハードウェア構成としては、例えばＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、及びハードディスク等の大容量記憶装置と、ＵＳＢ等の外部記憶装置との間でデータの送受信を行う各種インターフェースと、キーボードやマウス等の入力装置と、ディスプレイ等の表示装置と、音声を出力するスピーカ等の出力装置と、放送局との間で電波を送受信する放送チューナーと、インターネット等のネットワークとの通信を確立する通信装置とを含み構成される。
【００１４】
本実施形態の情報処理装置の概略構成について図１を参照して説明する。本実施形態の情報処理装置１は、入力部１１と、第１制御部１２と、記憶部１３と、出力部１４と、第２制御部１５と、会話認識部１６と、計時部１７と、位置情報取得部１８が、内部バス１０を介して構成されている。また、内部バス１０とサーバ３０とがインターネット２０（ネットワーク）等の通信回線により接続されている。なお、本実施形態のサーバ３０としては、Ｗｅｂサーバであるが、これに代えて、例えば地上デジタル放送局と放送網を通じて放送波及びこれに含まれるデータ情報を受信する構成であってもよい。また、本実施形態では、サーバ３０のみを利用した形態により説明しているが、２以上のＷＥＢ検索サーバを利用した形態であってもよい。
【００１５】
入力部１１は、検索キーワードを入力するための、例えばキーボードや、音声入力を行う場合のマイク等のデータ入力手段である。本実施形態の検索キーワードは、例えば、少なくとも検索対象を示す対象ワードと検索対象を限定する２種以上の限定ワードから構成される。検索キーワードの詳細については後述する。なお、入力部１１として、例えば、ＵＳＢ、ＣＤ−ＲＯＭ、ＤＶＤ−ＲＯＭ、ＦＤ、各種メモリーカードなどの外部メディア媒体に記憶されたデータを取り込むインターフェース、各種ドライブ、及び各種リーダ等の読込装置を使用することとしてもよい。
【００１６】
第１制御部１２は、ユーザーの入力する入力キーワードに基づいて特定される検索キーワードをインターネット２０に接続されたサーバ３０に送信し、検索キーワードに応じてサーバ３０で検索された検索結果を複数受信する制御を行う制御手段である。本制御は、例えば、情報処理装置１のＲＯＭ等に記憶されたＷＥＢブラウザ等のプログラムをＣＰＵが実行することにより行われる。なお、入力部１１から音声が入力される場合は、入力された音声を認識してこれを文字データに変換したものを検索キーワードとする。
【００１７】
また、第１制御部１２は、検索キーワードを構成する、少なくとも検索対象を示す対象ワードと検索対象を限定する２種以上の限定ワードのうち、少なくとも対象ワードと一の限定ワードで構成される拡張検索キーワードに応じてサーバ３０で検索された検索結果を複数受信する制御を行う。この制御については図８を参照しつつ後述する。
【００１８】
記憶部１３は、第１制御部１２により受信された複数の検索結果の複数を記憶するハードディスク等の記憶装置である。
【００１９】
出力部１４は、記憶部１３に記憶された検索結果を出力する、例えばディスプレイ等の表示手段や、マイク等の音声出力手段といったデータ出力手段である。
【００２０】
第２制御部１５は、記憶部１３に記憶された複数の検索結果から、入力キーワードに応じて限定された検索結果を抽出して出力する制御を行う制御手段である。「入力キーワードに応じて限定された検索結果」については後述する。
【００２１】
また、第２制御部１５は、検索キーワードの少なくとも一部を変えた新たな検索キーワードが入力され、該新たな検索キーワードに対応する検索結果が記憶部１３に記憶されているとき、新たな検索キーワードに対応する検索結果を記憶部１３から出力する制御を行う。ここで、「検索キーワードの少なくとも一部を変えた新たなキーワード」とは、例えば上述した限定ワード２種類と対象ワードからなる検索キーワードのうち、１の限定ワードを異なる限定ワードに変更した新たな検索キーワードをいうが、具体的には後述する。なお、例えばＰＣの購入時など初期利用時は、記憶部１３には未だ検索結果が少ないため、事前に予め情報データを確保しておくこととしてもよい。
【００２２】
会話認識部１６は、ユーザーの発する音声である会話情報の認識を行い、認識された会話情報から抽出されたキーワードを入力キーワードとして第１制御部１２に出力する会話認識手段である。そして、第１制御部１２は、入力された入力キーワードに応じて設定される会話の対象条件に基づいて検索キーワードを特定し、第２制御部１５は、会話の対象条件に対応する検索結果を記憶部１３に記憶された複数の検索結果から抽出して出力する制御を行う。入力キーワードに応じて設定される会話の対象条件については後述する。
【００２３】
計時部１７は、情報処理装置１における、例えば現在時刻を計測するタイマーである。第２制御部１５は、第１制御部１２による制御に係る検索の際の時間に応じて限定された検索結果を記憶部１３に記憶された複数の検索結果から抽出して出力する制御を行う。本制御は、入力キーワードが意味する概念が広すぎ、これによっては出力する検索結果が限定されない場合に行われる。
【００２４】
位置情報取得部１８は、情報処理装置１の現在位置（場所）を特定して、その特定された位置情報を取得する、例えばＧＰＳ（Ｇｌｏｂａｌ  Ｐｏｓｉｔｉｏｎｉｎｇ  Ｓｙｓｔｅｍ）等である。第２制御部１５は、第１制御部１２による制御に係る検索の際の位置情報に応じて限定された検索結果を記憶部１３に記憶された複数の検索結果から抽出して出力する制御を行う。本制御も、入力キーワードが意味する概念が広すぎ、これによっては出力する検索結果が限定されない場合に行われる。
【００２５】
次に、本実施形態における情報処理装置１の動作例について図２を参照して説明する。まず、ユーザーが入力部１１としてのマイクに対して『今日の天気は？』（入力キーワード）と話しかける。入力部１１に入力された『今日の天気は？』の音声情報は情報処理装置１に備わる音声文字変換機能により文字データに変換される。なお、後述するように会話認識部１６により認識される会話情報が入力部１１に入力されていてもよい。このときの会話情報は、例えば音声認識ＰＣにおける音声によるものでもよく、また、例えばＳＮＳ等によるインターネット２０を介した特定のユーザーとの文字による会話情報でもよい。
【００２６】
そして、変換された文字データを検索キーワードとしてインターネット２０を介してサーバ３０から『今日の天気』に対応する全国各地の今日の天気予報情報が受信され、受信された全国各地の今日の天気予報が記憶部１３に記憶される。
【００２７】
第２制御部１５は、会話認識部１６により会話情報に基づいて認識された会話の対象、計時部１７による現在時刻、位置情報取得部１８により取得した位置情報に応じて限定された天気予報を記憶部１３から抽出し、出力部１４により出力する。具体例については、図５から７を参照して説明する。
【００２８】
さらに、本実施形態における処理手順の１例について図３を参照して説明する。ここでは、入力キーワード・時間・場所に応じて出力する検索結果を限定する本処理を具体的に説明する。まず、［１］ユーザーにより入力された『今日の天気』によりインターネット２０を介してサーバ３０により検索が行われる。
【００２９】
そして、［２］サーバ３０から『今日の天気』として、全国各地の今日の天気予報情報を受信する。
【００３０】
次に、［３］受信した全国各地の今日の天気予報情報が記憶部１３に記憶される。
【００３１】
このとき、［４］会話の対象・現在時刻・現在位置等に応じた天気予報情報を記憶部１３から抽出して、出力部１４により出力される。これにより、ユーザーが意図して『今日の天気』以上に検索キーワードを限定していなくても、会話情報等に応じた天気予報情報、例えば、後述のように、ユーザーが東京に居ることが位置情報取得部１８により判断されたときは、記憶部１３から『東京の今日の天気』が抽出される。
【００３２】
さらに、この後、ユーザーにより意図して『大阪の天気』が検索キーワードとして入力され、入力された『大阪の天気』に対応する大阪の今日の天気予報情報が記憶部１３に記憶されているとき、第１制御部１２によるインターネット２０を介したサーバ３０による検索ではなく、第２制御部１５により記憶部１３に記憶されている大阪の天気予報情報『大阪：１日（火）：雨』が抽出される。これにより、インターネット２０を介さずとも情報処理装置１内部において所望の情報を取得することができるため、通信トラフィックの負荷やスループット低下を回避するとともに、情報漏洩を低減することができる。
【００３３】
次に、会話認識部１６により認識された会話の対象に応じて、例えばこれに対応した天気予報情報を記憶部１３から抽出して出力部１４により出力する例について図４を参照して説明する。
【００３４】
例えば、ユーザーＸとユーザーＹがＳＮＳ等によりインターネット２０上において文字により会話しているとする。例えば、ユーザーＸが『今日、浅草行きたいな。』と情報処理装置１における入力部１１を介して入力し、これがインターネット２０のＳＮＳサーバを介してユーザーＹに確認されると、ユーザーＹは『じゃあ、ついでに○○ツリーにも行こうよ。』とユーザーＹ側の端末において文字入力し、これがネットワーク２０のＳＮＳサーバを介してユーザーＸの情報処理装置１において確認される。
【００３５】
会話認識部１６は、このユーザーＸ及びユーザーＹの会話情報から会話の対象として、例えば話題が『東京』に関するものであると認識する。なお、『浅草』や『○○ツリー』が『東京』に属するスポットであることを判断するため、会話の対象条件として、例えば情報処理装置１が予めこれらを対応させる判定テーブルを記憶していてもよい。また、会話の対象が本例のように場所であれば地図ソフト等により判定してもよい。
【００３６】
そして、第２制御部１５は、会話認識部１６により会話の対象が『東京』と判定されたことを受け、記憶部１３から『東京の今日の天気』を抽出して出力部１４により出力する。
【００３７】
次に、計時部１７により計時された現在時刻に応じて、例えばこれに対応した天気予報情報を記憶部１３から抽出して出力部１４により出力する例について図５を参照して説明する。
【００３８】
例えば、計時部１７により現在時刻『１０：００』を取得し、第２制御部１５により現在時刻『１０：００』が含まれる時間帯として、例えば『９：００〜１２：００』の天気予報情報が記憶部１３から抽出され、出力部１４により出力される。
【００３９】
次に、位置情報取得部１８により取得された現在位置情報に応じて、例えばこれに対応した天気予報情報を記憶部１３から抽出して出力部１４により出力する例について図６を参照して説明する。
【００４０】
例えば、ＧＰＳ等の位置情報取得部１８により情報処理装置１の現在位置が取得され、これにより現在位置が『東京都台東区浅草』であると判定されたとき、第２制御部１５により『東京都台東区浅草』が含まれる『東京』の天気予報情報が記憶部１３から抽出されて出力部１４により出力される。
【００４１】
ここで、本実施形態において用いる検索キーワードについて図７を参照して説明する。ここでは、検索キーワードである検索キーワードＡを、例えば『東京の今日の天気』とする。検索キーワードＡとしての『東京の今日の天気』は、検索対象を示す対象ワードａ１の『天気』と、限定ワードａ２としての『東京の』（場所）と、同じく限定ワードａ３である『今日の』（時）に分けられる。なお、ここでの限定ワードは２種類であるが、これに限定されず、１種類、あるいは３種類以上の限定ワードによる検索キーワードであってもよい。
【００４２】
次に、本実施形態における検索キーワードを拡張検索キーワードに変更して検索する動作例について図８を参照して説明する。
【００４３】
例えば、検索キーワードＡである『東京の今日の天気』は、限定ワードａ３『今日の』と対象ワードａ１『天気』とを組み合わせた拡張検索キーワードａｘ、限定ワードａ２『東京の』と対象ワードａ１『天気』とを組み合わせた拡張検索キーワードａｙに分けることができる。拡張検索キーワードにより検索を行うことで受信できる検索結果の情報量を嵩上げするのである。つまり、検索キーワードＡである『東京の今日の天気』よる検索の方が、拡張検索キーワードａｘ『今日の天気』や拡張検索キーワードａｙ『東京の天気』による検索結果をより多く受信できるからである。
【００４４】
ここで、拡張検索キーワードにより検索を行う場合、本実施形態においては、拡張検索キーワードａｘにより検索を行ったとき、それによりヒットする検索結果が膨大で通信負荷が高くなるのに対し、拡張検索キーワードａｙにより検索を行ったときは、それによりヒットする検索結果が少なく通信負荷が低くなるということが考えられる。
【００４５】
例えば、拡張検索キーワードａｘである『今日の天気』で検索を行うと、例えば、全国各地の天気予報を受信することになるため、情報量が必要以上に多く、その結果、通信負荷が高くなってしまう。他方、拡張検索キーワードａｙである『東京の天気』でＷｅｂ検索を行ったときは、例えば、東京の天気予報として概ね１週間程度が提供されていることがほとんどであり、これを受信することになるため、情報量が一定量に制限されるため、通信負荷も低くなる。
【００４６】
よって、本実施形態における第１制御部１２は、２種類の限定ワード（『今日の』及び『東京の』）を検索キーワードに含ませた検索キーワード（『東京の今日の天気』）として検索を実行する場合に、まずは、これを拡張した拡張検索キーワードにより検索を行うことで、検索結果の情報量を嵩上げする。
【００４７】
そして、例えば拡張検索キーワードａｘ『今日の天気』により受信される情報量が多くなり過ぎる場合、これを上述したような通信負荷の軽い拡張検索キーワードａｙである『東京の天気』を用いて検索を行う制御を行う。言い換えれば、第１制御部１２は、少なくとも１の限定ワード（『今日の』）を検索キーワード（『東京の今日の天気』）から外す制御を行う。これにより、検索結果の情報量の嵩上げを可能とするとともに、通信負荷を低くすることが可能となる。
【００４８】
ただし、例えば初回検索時など、未だ情報処理装置１内の情報量が乏しいときは、情報量の多くなる拡張検索キーワードａｘにより検索を行うことが望ましい。これについては、例えば使用開始時は拡張検索キーワードａｘにより検索を行い、一定の使用時間が経過して十分な情報量が蓄積されていると判断されるときは拡張検索キーワードａｙにより検索を行うなど、使用時間の経過により拡張検索キーワードを使い分けてもよい。これにより、使用開始時と使用経過時の取得情報量の差を埋めることができるとともに、使用経過時における通信トラフィックの負荷やスループット低下を回避するとともに、情報漏洩を低減することができる。
【００４９】
本実施形態では、上述したように拡張検索キーワードａｘ『今日の天気』で検索をかけたとき、これに対応する検索結果として、全国１週間分の天気予報を受信することになり、検索結果の情報量の嵩上げをすることができる。一方で、拡張検索キーワードａｘ『今日の天気』による検索が、拡張検索キーワードａｙ『東京の天気』による検索より情報量が多くなり過ぎる場合は、これによる通信負荷の増大を軽減するために第１制御部１２による検索制御を行うものである。
【００５０】
つまり、本実施形態における第１制御部１２は、例えば検索キーワードＡとしての『東京の今日の天気』から限定ワードａ３（時）である『今日の』を外し、拡張検索キーワードａｙ『東京の天気』により検索を行う処理を行う。これにより、通信負荷を軽減することが可能となる。
【００５１】
なお、限定ワードａ３（時）である『今日の』、限定ワードａ２（場所）である『東京の』の何れを外すかについては、例えば検索サービスプロバイダ毎に、拡張検索キーワードａｘによる検索と、拡張検索キーワードａｙによる検索それぞれの情報量の多少に基づいて事前に設定しておけばよい。
【００５２】
なお、上述する各実施の形態は、本発明の好適な実施の形態であり、本発明の要旨を逸脱しない範囲内において種々変更実施が可能である。例えば、上記機能は、アセンブラ、Ｃ言語などのプログラミング言語などで記述されたコンピュータ実行可能なプログラムにより実現することができる。
【符号の説明】
【００５３】
１    情報処理装置
１０    内部バス
１１    入力部
１２    第１制御部
１３    記憶部
１４    出力部
１５    第２制御部
１６    会話認識部
１７    計時部
１８    位置情報取得部
２０    インターネット
３０    サーバ
【図１】
0005940038.tif 000002
【図２】
0005940038.tif 000003
【図３】
0005940038.tif 000004
【図４】
0005940038.tif 000005
【図５】
0005940038.tif 000006
【図６】
0005940038.tif 000007
【図７】
0005940038.tif 000008
【図８】
0005940038.tif 000009